(57)【要約】      （修正有）【課題】自分のお気に入りの布地や思い出の着物の布地等を表地として用い、容易にオンリーワンの衣服を作ることが可能となる衣服半製品の提供。【解決手段】作ろうとする衣服の種類を半纏とした場合を例にとれば、裏地と中地との間に保温材を挟んだ断面構造を有し、且つ表地が付けられていない状態の右前身頃部１，後身頃部２，左前身頃部３，右袖展開体４，左袖展開体５と、表地が付けられていない状態の衿芯材８，衿用保温材９，ポケット口芯材６，７とを具えた集合体を、衣服半製品として提供する。【選択図】図１
0003134162.tif 000002
【実用新案登録請求の範囲】
【請求項１】
衣服を構成する各部分から成るが表地は含まれていない集合体であって、
該衣服を完成するまでにしなければならない作業が、
裁縫に熟達しない者でも容易に出来る作業
および表地を縫い付ける作業
のみとなる段階まで、各部分が作られている
ことを特徴とする衣服半製品。
【請求項２】
衣服の種類が半纏であり、
裏地と中地との間に保温材が挟まれた断面構造を有し、且つ表地が付けられていない状態の右前身頃部，後身頃部，左前身頃部，右袖展開体，左袖展開体と、
表地が付けられていない状態の衿芯材，衿用保温材と
を具えたことを特徴とする衣服半製品。
【請求項３】
表地が付けられていない状態のポケット口芯材をも更に具えたことを特徴とする請求項２記載の衣服半製品。
【考案の詳細な説明】
【技術分野】
【０００１】
本考案は、消費者が衣服を個人的に製作するのを容易にする衣服半製品に関するものである。
【背景技術】
【０００２】
少なくとも今の日本では、既製品の衣服は比較的安価にしかも大量に提供されている。また、破れた所を繕った服を着ている人は殆どなく、たまに破れたままのジーンズを着ている人があっても、それはファッションのためわざわざ破いて着ている人である。このように、日本においては、基本的な生活に必要な衣食住の内の衣が満たされるようになってから、既に久しい。
【考案の開示】
【考案が解決しようとする課題】
【０００３】
既製品の大量供給により、基本的な生活を送るための衣が満たされている状態が長く続くと、既製品では物足りないと思う人がどうしても出て来る。その結果、多くの人が着ている物とは異なった物、あるいは世の中にたった１つの物（オンリーワンの物，ｏｎｌｙ  ｏｎｅ）を欲する人が、次第に多くなって来ている。
趣味の世界からオンリーワンの生活用品を作ることは、衣服に類似した分野ではかなり前から行われている。例えば、染物を趣味とする人達が、自分で描いた絵や模様なりを布に染め、その布をハンカチとか風呂敷に仕上げて使用している。
【０００４】
最近では、オンリーワンの衣服を作ることも次第に盛んになって来ている。使用する生地やその他の材料を自分で選び全て手作りで作れば、それは製作過程から見る限り、究極のオンリーワン製品である。その場合に、人の目に触れる表地として、その衣服の既製品ではあまり使われていないような布地や模様のものを選んだり、あるいは自分の思い出の衣服（例えば娘時代に着たお気に入りの着物）の布地を再利用したりすれば、オンリーワン製品であることをより一層強調することが出来る。同時に、そのような衣服は思い出に支えられているから、常に豊かな気持に包まれて着用することが出来る。
【０００５】
しかし、ハンカチや風呂敷といった構造簡単な製品は、誰でも容易に製品に仕上げることが出来るが、袖が付いたり保温材を入れたりしなければならない衣服となると、今の時代、誰でも容易に作ることが出来るとは言えない。裁縫に熟達した人なら容易に出来ようが、そうでない人は容易ではない。安価な既製品が大量に氾濫している今の時代では、裁縫に熟達する必要がなく、熟達している人の方がむしろ稀である。
また、個人が自分の衣服を作るために必要な生地等を全て購入するとなると、或る程度の余裕をみて多めに購入する必要があり、コストが高くなると共に無駄となる部分が出て来ていた。
以上のような状況から分かるように、裁縫に熟達してはいないものの、衣服に関してオンリーワンのものを作りたいという人達が多く出て来ているのに、それらの人達の需要を満たすものが今のところ提供されていないという問題点があった。
本考案は、以上のような問題点を解決することを課題とするものである。
【課題を解決するための手段】
【０００６】
前記課題を解決するため、本考案では、衣服を構成する各部分から成るが表地は含まれていない集合体であって、該衣服を完成するまでにしなければならない作業が、裁縫に熟達しない者でも容易に出来る作業および表地を縫い付ける作業のみとなる段階まで、各部分が作られていることを特徴とする衣服半製品を提供する。
衣服の種類を半纏とした場合、裏地と中地との間に保温材が挟まれた断面構造を有し、且つ表地が付けられていない状態の右前身頃部，後身頃部，左前身頃部，右袖展開体，左袖展開体と、表地が付けられていない状態の衿芯材，衿用保温材とを具えたものとなる。
あるいは、これに、表地が付けられていない状態のポケット口芯材をも更に具えたものとすることも可能である。
【考案の効果】
【０００７】
本考案の衣服半製品によれば、該衣服を完成するまでにしなければならない作業は、裁縫に熟達しない者でも容易に出来る作業や表地を縫い付ける作業だけであるので、自分のお気に入りの布地や思い出の着物の布地等を表地として用い、容易にオンリーワンの衣服を作ることが可能となる。
【考案を実施するための最良の形態】
【０００８】
以下、本考案の実施形態を図面に基づいて詳細に説明する。
図１は、本考案の衣服半製品の１例である半纏半製品を示す図である。図１において、１は右前身頃部、２は後身頃部、３は左前身頃部、４は右袖展開体、５は左袖展開体、６，７はポケット口芯材、８は衿芯材、９は衿用保温材である。
この半纏半製品は、半纏を作るのに必要な部分を、表地を付けない状態で作ったものの集合体である。即ち、半纏を構成する主要部分としては、右前身頃部１，後身頃部２，左前身頃部３，右袖展開体４，左袖展開体５等があり、主要でない部分としては、ポケット口芯材６，７、衿芯材８，衿用保温材９等があるが、これらがそれぞれ個別に作られ、集合体とされている。
【０００９】
集合体の構成要素は、半纏のタイプによって異なる。例えば、ポケットを付けないタイプの半纏の場合、ポケット口芯材６，７は構成要素には加えられない。
右前身頃部１等は半纏の構成要素としては必須のものであるが、ポケット口芯材６，７等はポケットを付けるタイプの半纏にのみ必要とされるものであり、全ての半纏に必須のものではないからである。必須でない構成要素は、必要に応じて適宜加えられる。
【００１０】
半纏半製品を構成する各部分は、半纏を完成するまでにしなければならない残り作業が次の２種類の作業のみとなり、且つ出来るだけ作業量が少なくなる段階まで作っておくものとする。
（１）表地を縫い付ける作業
（２）裁縫に熟達しない者でも容易に出来る作業
図３は、半纏半製品の右前身頃部１の構造等を説明する図である。符号は図１のものに対応し、１０は裏地、１１は保温材、１２は中地、１３は表地である。図３（１）は平面図であり、図３（２）は（１）のＸ−Ｘ線での断面図である。
【００１１】
右前身頃部１は、裏地１０と中地１２との間に保温材１１を挟んで構成される。保温材１１としては、綿とか羽毛が用いられる。そして、保温材１１が移動して片寄ってしまわないように、適宜の間隔で裏地１０と中地１２とが縦方向，横方向に縫われている。図３（１）の縦，横の点線は、その縫い目を表している（図１の縦，横の点線もその縫い目である。）。
図３（３）は、表地１３を縫い付ける側を示している。表地１３を縫い付ける段階に来た場合、表地１３は中地１２の側に縫い付けられる。先にも述べたように、この表地１３としては、自分の気に入った布地を別途購入して来て用いてもよいし、自分のお気に入りだったが今ではもう着なくなった着物をほどいて、その布地を用いてもよい。そうすることにより、オンリーワンの半纏を作ることが可能となる。
【００１２】
図２は、衣服半製品の１例である半纏半製品を用いての製作要領を示す図である。符号は図１のものに対応し、Ａは右袖取付口、Ｂは左袖取付口、４Ａは右袖部、５Ａは左袖部である。
先ず図２（１）に示すように、後身頃部２の上に右前身頃部１と左前身頃部３とを重ね、縫い合わせる。なお、右袖取付口Ａ，左袖取付口Ｂは、それぞれ右袖部，左袖部を取り付ける箇所であり、ここは開口としておく。このような縫い合わせは、単に直線的に縫うだけで行えるから、裁縫に熟達しない者でも容易にすることが出来る。
次に図２（２）に示す作業であるが、これに先立ち、図１の右袖展開体４，左袖展開体５を上下半分に折り、斜線部分を縫い合わせて右袖部４Ａ，左袖部５Ａを作っておく。これらを、それぞれ右袖取付口Ａ，左袖取付口Ｂに縫い付ける。これらの作業も、単に直線的に縫うだけであるから、容易に出来る。
【００１３】
図４は、衣服半製品の１例である半纏半製品における衿の加工要領を示す図である。符号は図１のものに対応し、１６は衿である。図４（１）に衿芯材８を示し、図４（２）に衿用保温材９を示すが、衿用保温材９を中央点線部分で半分に折り、その中に衿芯材８を挟む。図４（３）は挟んだ状態の平面図であり、図４（４）は断面図である。
図４（５）は、それを表地１３で包んだ状態の断面図である。このように表地１３で包んだ長手方向の端部を縫うことにより、細長い衿１６が作られる。それを、図２（２）の段階まで作ってある半纏に縫い付ける。
【００１４】
図５は完成した半纏を示す図である。符号は図４のものに対応し、１４，１５はポケット、１７は半纏である。半纏１７の外表面は、最終的には製作した人のお気に入りの表地１３で覆われることになるから、オンリーワンの半纏が完成される。
本考案によれば、半纏を完成するまでにしなければならない作業は、表地を縫い付ける作業とか裁縫に熟達しない者でも容易に出来る作業だけであるので、手軽にオンリーワンの半纏を作ることが可能となる。
上記では半纏を例にとって説明したが、他の衣服（例、丹前等）についても同様に出来ることは言うまでもない。
【図面の簡単な説明】
【００１５】
【図１】本考案の衣服半製品の１例である半纏半製品を示す図
【図２】衣服半製品の１例である半纏半製品を用いての製作要領を示す図
【図３】右前身頃部の構造等を説明する図
【図４】衣服半製品の１例である半纏半製品における衿の加工要領を示す図
【図５】完成した半纏を示す図
【符号の説明】
【００１６】
１…右前身頃部、２…後身頃部、３…左前身頃部、４…右袖展開体、４Ａ…右袖部、５…左袖展開体、５Ａ…左袖部、６，７…ポケット口芯材、８…衿芯材、９…衿用保温材、１０…裏地、１１…保温材、１２…中地、１３…表地、１４，１５…ポケット、１６…衿、１７…半纏、Ａ…右袖取付口、Ｂ…左袖取付口
【図１】
0003134162.tif 000003
【図２】
0003134162.tif 000004
【図３】
0003134162.tif 000005
【図４】
0003134162.tif 000006
【図５】
0003134162.tif 000007
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
衣服を構成する各部分から成るが表地は含まれていない集合体であって、
該集合体に含まれる各部分は、あと裁縫に熟達しない者でも容易に出来る作業および表地を縫い付ける作業をすれば前記衣服を完成することが出来る段階まで作られている
ことを特徴とする衣服半製品。
【請求項２】
衣服の種類が半纏であり、
裏地と中地との間に保温材が挟まれた断面構造を有し、且つ表地が付けられていない状態の右前身頃部，後身頃部，左前身頃部，右袖展開体，左袖展開体と、
表地が付けられていない状態の衿芯材，衿用保温材と
を具えたことを特徴とする衣服半製品。
【請求項３】
表地が付けられていない状態のポケット口芯材をも更に具えたことを特徴とする請求項２記載の衣服半製品。